(57)【要約】【課題】サーバ側で表示される画像の全体及び一部を、不明となる部分を生じさせること無くクライアントのユーザが認識できるリモート表示システムを提供する。【解決手段】サーバ１０とクライアント２０と携帯端末３０とを有し、クライアント２０においてサーバ１０上の画像データを部分表示し、携帯端末３０においてサーバ１０上の画像データ全体を表示するとともにクライアント２０においてどの部分を表示しているかを視覚的に示し、携帯端末３０におけるユーザ操作によってクライアント２０の部分表示する領域を変更可能である。【選択図】図１
2009080655.tif 000002
【特許請求の範囲】
【請求項１】
サーバと第１及び第２の二種類のクライアントとを有し、第１のクライアントにおいてサーバ上の画像データを部分表示し、第２のクライアントにおいてサーバ上の画像データ全体を表示するとともに第１のクライアントにおいてどの部分を表示しているかを視覚的に示し、第２のクライアントにおけるユーザ操作によって第１のクライアントの部分表示する領域を変更可能としたリモート表示システム。
【請求項２】
前記第１及び第２のクライアントのそれぞれが、ネットワークを介して個別に前記サーバに接続されたことを特徴とする請求項１記載のリモート表示システム。
【請求項３】
前記サーバは、前記画像データの一部分を切り出すことにより部分画像データを生成して前記第１のクライアントへ送信するとともに、前記部分画像データが前記画像データ全体のうちのどの部分であるかを示す情報が付加された前記画像データを前記第２のクライアントへ送信することを特徴とする請求項２記載のリモート表示システム。
【請求項４】
前記サーバは、前記画像データ全体のうちのどの部分であるかを示す領域情報を前記画像データとともに前記第１及び第２のクライアントのそれぞれに送信し、
前記第１の第１のクライアントは、前記領域情報に応じた部分を前記画像データから切り出すことによって部分画像データを生成し、該部分画像データに応じた画像を表示することにより前記画像データを部分表示し、
前記第２のクライアントは、前記領域情報が示す領域を視覚的に示す情報を前記画像データに付加して表示することを特徴とする請求項２記載のリモート表示システム。
【請求項５】
前記第１のクライアントと前記サーバとがネットワークを介して接続され、前記第１のクライアントと前記第２のクライアントとが、近傍通信によって直接接続されたことを特徴とする請求項１記載のリモート表示システム。
【請求項６】
前記サーバは、前記画像データを前記第１のクライアントへ送信し、
前記第１のクライアントは、前記サーバから受信した前記画像データの一部分を部分表示するとともに、自身が前記画像データのどの部分を部分表示しているのか示す情報を前記画像データとともに前記前記第２のクライアントへ送信することを特徴とする請求項５記載のリモート表示システム。
【請求項７】
前記サーバは、前記画像データを前記第１のクライアントへ送信し、
前記第１のクライアントは、前記サーバから受信した前記画像データの一部分を部分表示するとともに、自身が前記画像データのどの部分を部分表示しているのか示す情報を付加した前記画像データを前記前記第２のクライアントへ送信することを特徴とする請求項５記載のリモート表示システム。
【請求項８】
前記第２のクライアントは携帯電話端末であることを特徴とする請求項１から６のいずれか１項記載のリモート表示システム。
【発明の詳細な説明】
【技術分野】
【０００１】
本発明は、サーバと同じ画像を複数のクライアントにおいて全体及び部分表示するリモート表示システムに関する。
【背景技術】
【０００２】
サーバ・クライアントシステムにおいてサーバをクライアントからリモート操作する場合など、あるコンピュータと同じ画像を別のコンピュータで表示する必要がある。
【０００３】
クライアントからサーバをリモート操作することに関連する技術として、特許文献１がある。
【特許文献１】特開２００１−２２８８４２号公報
【発明の開示】
【発明が解決しようとする課題】
【０００４】
特許文献１のようなシステムにおいては、サーバ側の表示装置よりもクライアント側の表示装置の解像度が低いと、サーバ側で表示される画像の一部の領域のみしかクライアント側で表示できないため、画像の全領域を把握できない。
【０００５】
クライアント側において、全体の縮小画像を部分画像に重ねて表示（スーパーインポーズ）すれば、画像の全領域を把握できるが、縮小全体画像に隠れてしまう部分の内容が不明となってしまう。
【０００６】
このように、従来は、クライアント側の表示装置の解像度がサーバ側の表示装置の解像度よりも低い場合にはサーバ側で表示される画像の全体を把握できず、全体の縮小画像を重ねて表示させると、部分画像の一部の内容が不明となってしまうという問題があった。
【０００７】
本発明は係る問題に鑑みてなされたものであり、サーバ側で表示される画像の全体及び一部を、不明となる部分を生じさせること無くクライアントのユーザが認識できるリモート表示システムを提供することを目的とする。
【課題を解決するための手段】
【０００８】
本発明は、上記目的を達成するために、サーバと第１及び第２の二種類のクライアントとを有し、第１のクライアントにおいてサーバ上の画像データを部分表示し、第２のクライアントにおいてサーバ上の画像データ全体を表示するとともに、第１のクライアントにおいてどの部分を表示しているかを視覚的に示し、第２のクライアントにおけるユーザ操作によって第１のクライアントの部分表示する領域を変更可能としたリモート表示システムを提供するものである。
【発明の効果】
【０００９】
本発明によれば、サーバ側で表示される画像の全体及び一部を、不明となる部分を生じさせること無くクライアントのユーザが認識できるリモート表示システムを提供できる。
【発明を実施するための最良の形態】
【００１０】
〔第１の実施形態〕
本発明を好適に実施した第１の実施形態について説明する。
図１に、本実施形態に係るリモート表示システムの構成を示す。このリモート表示システムは、サーバ１０、クライアント２０及び携帯端末３０のそれぞれがネットワーク５００を介して接続された構成である。クライアント２０と携帯端末３０とは同一のユーザによって用いられる。
【００１１】
サーバ１０は、演算部１１、通信処理部１２、記憶部１３、表示部１４及びユーザインタフェース部１５を有する。演算部１１は、サーバ１０の動作を制御する装置であり、ＣＰＵなどが適用される。通信処理部１２は、ネットワーク５００を介してのクライアント２０や携帯端末３０との通信機能を司る。記憶部１３は、演算部１１が処理する各種データを記憶するための装置であり、ハードディスクドライブなどが適用される。表示部１４は、サーバ１０のユーザに情報を視覚的に提示するための装置であり、クライアント２０及び携帯端末３０の表示部（表示部２４、３４）よりも解像度が高い。ユーザインタフェース部１５はサーバ１０のユーザが入力操作を行うための装置であり、キーボードやポインティングデバイスで構成される。
【００１２】
クライアント２０は、演算部２１、通信処理部２２、記憶部２３、表示部２４及びユーザインタフェース部２５を有する。演算部２１は、クライアント２０の動作を制御する装置であり、ＣＰＵなどが適用される。通信処理部２２は、ネットワーク５００を介してのサーバ１０との通信機能を司る。記憶部２３は、演算部２１が処理する各種データを記憶するための装置であり、ハードディスクドライブなどが適用される。表示部２４は、ユーザに情報を視覚的に提示するための装置である。ユーザインタフェース部２５はユーザが入力操作を行うための装置であり、キーボードやポインティングデバイスで構成される。
【００１３】
携帯端末３０は、演算部３１、通信処理部３２、記憶部３３、表示部３４及びユーザインタフェース部３５を有する。演算部３１は、携帯端末３０の動作を制御する装置であり、ＣＰＵなどが適用される。通信処理部３２は、ネットワーク５００を介してのサーバ１０との通信機能を司る。記憶部３３は、演算部３１が処理する各種データを記憶するための装置であり、不揮発メモリなどが適用される。表示部３４は、ユーザに情報を視覚的に提示するための装置である。ユーザインタフェース部３５は携帯端末３０のユーザが入力操作を行うための装置であり、タッチパネルやポインティングデバイスで構成される。携帯端末３０としては、携帯電話機やＰＤＡなどを適用可能である。
【００１４】
図２に、本実施形態に係るリモート表示システムの動作シーケンスの一例を示す。
クライアント２０においてリモート表示用のソフトウェアが演算部２１によって実行されると、演算部２１は通信処理部２２を介してサーバ１０に対して接続要求を送信する（Ｓ１）。サーバ１０の演算部１１は、クライアント２０から接続要求に応じて、公知の認証方法（パスワード、生体認証など）でクライアント２０の認証処理を行い、認証に成功したならば接続許可を通知する（Ｓ２）。そして、演算部１１は、自身の表示部１４に表示させている画像の一部分（表示部２４が表示可能なサイズ）のデータをクライアント２０へ送信する（Ｓ３）。その後、クライアント２０の演算部２１は、サーバ１０から受信した画像を表示部２４に表示させる。
【００１５】
また、携帯端末３０においてリモート表示用のソフトウェアが演算部３１によって実行されると、演算部３１は通信処理部３２を介してサーバ１０に対して接続要求を送信する（Ｓ４）。サーバ１０の演算部１１は、携帯端末３０から接続要求に応じて、公知の認証方法（パスワード、生体認証など）で携帯端末３０の認証処理を行い、認証に成功したならば接続許可を通知する（Ｓ５）。そして、演算部１１は、自身の表示部１４に表示させている画像全体の縮小画像（表示部３４が表示可能なサイズ）に、クライアント２０へ画像のどの部分を送っているかを示す情報（ここでは枠とする）を付加して携帯端末３０へ送信する（Ｓ６）。その後、携帯端末３０の演算部３１は、サーバ１０から受信した縮小画像及びその画像のどの部分がクライアント２０へ送られているかを表す枠を表示部３４に表示させる。
【００１６】
ここではクライアント２０が先にサーバ１０へ接続される場合を例としているが、携帯端末３０が先にサーバ１０へ接続されても良い。この場合には、携帯端末３０には縮小画像のみがサーバ１０から送信され、クライアント２０がサーバ１０に接続された後で、画像のどの部分がクライアント２０へ送られているかを表す枠が付加された縮小画像がサーバ１０から携帯端末３０へ送られることとなる。
【００１７】
携帯端末３０において、クライアント２０の表示部２４に表示させる部分を変更させるための操作がユーザインタフェース部３５を介して行われると、演算部３１は通信処理部３２を用い、変更後の位置を示す表示座標位置情報をネットワーク５００を介してサーバ１０へ送信する（Ｓ７）。携帯端末３０からの表示座標位置情報をサーバ１０が受信すると、演算部１１は、受信した表示座標位置情報に応じた部分画像のデータをクライアント２０へ送信する（Ｓ８）。クライアント２０がこのデータを受信すると、携帯端末３０において行われた操作に応じた画像がクライアント２０の表示部２４に表示される。また、演算部１１は、自身の表示部１４に表示させている画像全体の縮小画像（表示部３４が表示可能なサイズ）に、クライアント２０へ画像のどの部分を送っているかを示す情報を付加して携帯端末３０へ送信する（Ｓ９）。携帯端末３０がこれを受信すると、操作後にクライアント２０の表示部にはどの部分が表示されるようになったかを示す情報が縮小画像とともに表示部３４に表示される（この場合、ユーザには枠が移動したように認識される）。
【００１８】
図３に、部分表示領域変更時の動作（図２のＳ７〜Ｓ９の動作）の流れを示す。ステップＳ３０１〜Ｓ３０４は携帯端末３０の動作、ステップＳ１０１〜Ｓ１０２はサーバ１０の動作、ステップＳ２０１〜Ｓ２０２はクライアント２０の動作である。
携帯端末３０の演算部３１は、クライアント２０の表示部２４に表示させる部分を変更させるための操作がユーザインタフェース部３５を介して行われるのを待機している（ステップＳ３０１）。クライアント２０の表示部２４に表示させる部分を変更させるための操作が行われると（ステップＳ３０１／Ｙｅｓ）、演算部３１はクライアント２０の表示部２４にどの部分が表示されているかを表す表示座標位置情報を更新する（ステップＳ３０２）。そして、演算部３１は更新した表示座標位置情報をサーバ１０へと送信する（ステップＳ３０３）。その後、サーバ１０から縮小画像及びその画像のどの部分がクライアント２０へ送られているかを表す枠のデータを受信すると、その画面を表示部３４に表示させる（ステップＳ３０４）。
【００１９】
サーバ１０の演算部１１は、携帯端末３０から表示座標位置情報が送られてくるのを待機している（ステップＳ１０１）。携帯端末３０からの表示座標位置情報を受信すると（ステップＳ１０１／Ｙｅｓ）、サーバ１０の演算部１１は、受信した表示座標位置情報に応じた部分画像を切り出し、それをクライアント２０へ送信する（ステップＳ１０２）。
【００２０】
クライアント２０の演算部２１は、サーバ１０から部分画像が送られてくるのを待機しており（ステップＳ２０１）、部分画像が送られてきたならば（ステップＳ２０１／Ｙｅｓ）、受信した部分画像を表示部２４に表示させる（ステップＳ２０２）。
【００２１】
以上の動作によって、図４に示すように、サーバ１０の表示部１４に表示される画像の一部分をクライアント２０の表示部２４に表示させ、画像全体のどの部分がクライアント２０の表示部２４に表示されているのかを携帯端末３０の表示部３４に表示させることができる。これにより、ユーザは画像全体とその中の一部分とを共に把握することができる。
さらに、携帯端末３０のユーザインタフェース部３５を介した入力操作により、クライアント２０の表示部２４にどの部分を表示させるかを変更できる。
【００２２】
なお、ここではサーバ１０において画像の一部が切り出されて部分画像としてクライアント２０へ送信される場合を例としたが、サーバ１０からクライアント２０へは画像全体を送信し、クライアント２０において一部分を切り出すようにしても良い。
また、クライアント２０の表示部２４においてどの部分を表示しているかを表す枠は、携帯端末３０において縮小画像に付加するようにしても良い。
【００２３】
このように、本実施形態によれば、接続先のコンピュータ（サーバ）の画面の全体及び一部分を手元の端末（クライアント、携帯端末）の画面に表示する用途において、特別な機器を用意することなく、リモートクライアントと携帯端末とを用いた構成で画像全体の把握と任意の部分の表示とが可能である。
また、クライアントと携帯端末とを直接接続する必要はなく、クライアントと携帯端末との双方が個別にネットワークを介してサーバと接続できていればよいため、クライアントと携帯端末とを接続するインフラが存在しなくてもシステムを運用できる。
【００２４】
〔第２の実施形態〕
本発明を好適に実施した第２の実施形態について説明する。
図５に、本実施形態に係るリモート表示システムの構成を示す。このリモート表示システムは、サーバ４０とクライアント５０とがネットワーク５００を介して接続され、クライアント５０と携帯端末６０とが近傍通信（無線ＬＡＮなど）によって接続された構成である。クライアント５０と携帯端末６０とは同一のユーザによって用いられる。
【００２５】
サーバ４０は、演算部４１、通信処理部４２、記憶部４３、表示部４４及びユーザインタフェース部４５を有する。演算部４１は、サーバ４０の動作を制御する装置であり、ＣＰＵなどが適用される。通信処理部４２は、ネットワーク５００を介してのクライアント５０との通信機能を司る。記憶部４３は、演算部４１が処理する各種データを記憶するための装置であり、ハードディスクドライブなどが適用される。表示部４４は、サーバ４０のユーザに情報を視覚的に提示するための装置であり、クライアント５０及び携帯端末６０の表示部（表示部５４、６４）よりも解像度が高い。ユーザインタフェース部４５はサーバ４０のユーザが入力操作を行うための装置であり、キーボードやポインティングデバイスで構成される。
【００２６】
クライアント５０は、演算部５１、通信処理部５２、記憶部５３、表示部５４、ユーザインタフェース部５５及び近傍通信部５６を有する。演算部５１は、クライアント５０の動作を制御する装置であり、ＣＰＵなどが適用される。通信処理部５２は、ネットワーク５００を介してのサーバ１０との通信機能を司る。記憶部５３は、演算部５１が処理する各種データを記憶するための装置であり、ハードディスクドライブなどが適用される。表示部５４は、ユーザに情報を視覚的に提示するための装置である。ユーザインタフェース部５５はユーザが入力操作を行うための装置であり、キーボードやポインティングデバイスで構成される。近傍通信部５６は、近傍通信による携帯端末６０との間での通信を司る機能部である。
【００２７】
携帯端末６０は、演算部６１、記憶部６３、表示部６４、ユーザインタフェース部６５及び近傍通信部６６を有する。演算部６１は、携帯端末６０の動作を制御する装置であり、ＣＰＵなどが適用される。記憶部６３は、演算部６１が処理する各種データを記憶するための装置であり、不揮発メモリなどが適用される。表示部６４は、ユーザに情報を視覚的に提示するための装置である。ユーザインタフェース部６５は携帯端末６０のユーザが入力操作を行うための装置であり、タッチパネルやポインティングデバイスで構成される。近傍通信部６６は、近傍通信によるクライアント５０との間での通信を司る機能部である。
【００２８】
図６に、本実施形態に係るリモート表示システムの動作シーケンスの一例を示す。
クライアント５０においてリモート表示用のソフトウェアが演算部５１によって実行されると、演算部５１は通信処理部５２を介してサーバ４０に対して接続要求を送信する（Ｓ１１）。サーバ４０の演算部４１は、クライアント５０から接続要求に応じて、公知の認証方法（パスワード、生体認証など）でクライアント５０の認証処理を行い、認証に成功したならば接続許可を通知する（Ｓ１２）。そして、演算部４１は、自身の表示部４４に表示させている画像のデータをクライアント５０へ送信する（Ｓ１３）。その後、クライアント５０の演算部５１は、サーバ４０から受信した画像の一部分を表示部５４に表示させる（Ｓ１４）。
【００２９】
また、携帯端末６０においてリモート表示用のソフトウェアが演算部６１によって実行されると、演算部６１は近傍通信部６６を介してクライアント５０に対して接続要求を送信する（Ｓ１５）。クライアント５０の演算部５１は、携帯端末６０から接続要求に応じて、公知の認証方法（パスワード、生体認証など）で携帯端末６０の認証処理を行い、認証に成功したならば接続許可を通知する（Ｓ１６）。そして、演算部５１は、どの部分を表示部５４に表示させているかを示す情報（ここでは枠とする）を全体画像の縮小画像（表示部６４が表示可能なサイズ）に付加して携帯端末６０へ送信する（Ｓ１７）。その後、携帯端末６０の演算部６１は、サーバ６０から受信した縮小画像及びクライアント５０でどの部分を表示しているかを表す枠を表示部６４に表示させる。
【００３０】
ここではクライアント２０が先にサーバ１０へ接続される場合を例としているが、携帯端末６０を先にクライアント５０へ接続するようにしても良い。
【００３１】
携帯端末６０において、クライアント５０の表示部５４に表示させる部分を変更させるための操作がユーザインタフェース部６５を介して行われると、演算部６１は近傍通信部６６を用い、変更後の位置を示す表示座標位置情報をクライアント５０へ送信する（Ｓ１８）。携帯端末３０からの表示座標位置情報をクライアント５０が受信すると、演算部５１は、受信した表示座標位置情報に応じた部分を表示部５４に表示させる（Ｓ１９）。また、演算部５１は、画像全体の縮小画像（表示部６４が表示可能なサイズ）に、表示部５４がどの部分を表示しているかを示す情報を付加して携帯端末６０へ送信する（Ｓ２０）。携帯端末６０がこれを受信すると、操作後にクライアント５０の表示部５４にはどの部分が表示されるようになったかを示す情報が縮小画像とともに表示部６４に表示される（この場合、ユーザには枠が移動したように認識される）。
【００３２】
図７に、部分表示領域変更時の動作（図５のＳ１８〜Ｓ２０の動作）の流れを示す。ステップＳ６０１〜Ｓ６０４は携帯端末６０の動作、ステップＳ５０１〜Ｓ５０２はクライアント５０の動作である。
携帯端末６０の演算部６１は、クライアント５０の表示部５４に表示させる部分を変更させるための操作がユーザインタフェース部３５を介して行われるのを待機している（ステップＳ６０１）。クライアント５０の表示部５４に表示させる部分を変更させるための操作が行われると（ステップＳ６０１／Ｙｅｓ）、演算部６１はクライアント５０の表示部５４にどの部分が表示されているかを表す表示座標位置情報を更新する（ステップＳ６０２）。そして、演算部６１は更新した表示座標位置情報をクライアント５０へと送信する（ステップＳ６０３）。その後、クライアント５０から縮小画像及びその画像のどの部分をクライアント５０が表示しているかを表す枠のデータを受信すると、その画面を表示部６４に表示させる（ステップＳ６０４）。
【００３３】
クライアント５０の演算部５１は、携帯端末６０から表示座標位置情報が送られてくるのを待機している（ステップＳ５０１）。携帯端末６０からの表示座標位置情報を受信すると（ステップＳ５０１／Ｙｅｓ）、クライアント５０の演算部５１は、表示座標位置情報に基づいて部分表示の位置を変更して表示する（ステップ５０２）。また、縮小画像及びその画像のどの部分を表示部５４に表示させているかを表す枠のデータを携帯端末６０へ送信する。
【００３４】
なお、ここでは部分表示位置を変更する処理がクライアント５０で行われる場合を例としたが、この処理をサーバ４０で行うことも可能である。この場合の動作の流れを図８に示す。ステップＳ６０１’〜Ｓ６０４’は携帯端末６０の動作、ステップＳ５０１’〜Ｓ５０３’はクライアント５０の動作、ステップＳ４０１’〜Ｓ４０２’はサーバ４０の動作である。
携帯端末６０の動作は、図７のステップＳ６０１〜Ｓ６０４と同様である。
クライアント５０の演算部５１は、携帯端末６０から表示座標位置情報が送られてくるのを待機している（ステップＳ５０１’）。携帯端末６０からの表示座標位置情報を受信すると（ステップＳ５０１’／Ｙｅｓ）、受信した表示座標位置情報をサーバ４０へ送信する（ステップＳ５０２’）。クライアント５０の演算部５１は、サーバ４０から表示位置情報を受信すると、その情報に基づいて部分表示の位置を変更して表示する（ステップ５０３’）。また、縮小画像及びその画像のどの部分を表示部５４に表示させているかを表す枠のデータを携帯端末６０へ送信する。
【００３５】
サーバ４０の演算部は、クライアント５０から表示座標位置情報が送られてくるのを待機している（ステップＳ４０１’）。クライアント５０からの表示座標位置情報を受信すると（ステップＳ４０１’／Ｙｅｓ）、全体画像のどの部分を部分表示させるかを表す表示位置情報をクライアント５０へ送信する。
【００３６】
なお、部分表示位置を変更する処理をサーバ４０で行う場合には、サーバ４０からクライアント５０へは画像全体及び部分画像を送信し、クライアント５０から携帯端末６０には全体画像のみを送信することも可能である。
また、クライアント５０の表示部５４においてどの部分を表示しているかを表す枠は、携帯端末６０において縮小画像に付加するようにしても良い。
また、クライアント５０と携帯端末６０との接続は、近傍通信ではなくケーブル等を用いた有線接続であっても良い。
【００３７】
以上の動作によって、サーバ４０の表示部４４に表示される画像の一部分をクライアント５０の表示部５４に表示させ、画像全体のどの部分がクライアント５０の表示部５４に表示されているのかを携帯端末６０の表示部６４に表示させることができる。これにより、ユーザは画像全体とその中の一部分とを共に把握することができる。
【００３８】
上記実施形態は本発明の好適な実施の一例であり、本発明はこれに限定されることはない。
例えば、上記実施形態においては、サーバがキーボードやマウスなどのユーザインタフェースを備えた構成である場合を例としたが、これらを備えていなくてもよい。すなわち、高解像度／大画面テレビをサーバ、ノート型コンピュータをクライアント、携帯電話機を携帯端末として上記実施形態に適用することにより、大画面テレビの一部拡大をノート型コンピュータに表示し、その拡大表示領域を携帯電話機で変更可能とすることで、大画面テレビに接近しなくとも、高解像度の部分詳細映像を閲覧・操作できる。
また、街頭広告用途で建物の壁面等に設置される超大型画面表示装置をサーバ、ノート型コンピュータをクライアント、携帯電話機を携帯端末として上記実施形態に適用することにより、超大型画面表示装置と同じ内容を携帯電話機に表示し、その一部の領域をノート型コンピュータに表示させることができ、解像度が低くならざるを得ない超大型画面表示装置では提供しきれない詳細情報をノート型コンピュータの画面上に表示することが可能となる。
また、上記各実施形態においては、クライアントが１台の場合を例としたが、複数のクライアントを用いて各クライアントが画像の異なる部分を表示するようにしても良い。クライアントを複数設ける場合でも、各クライアント個別の動作は上記同様である。
このように、本発明は様々な変形が可能である。
【図面の簡単な説明】
【００３９】
【図１】本発明を好適に実施した第１の実施形態に係るリモート表示システムの構成を示す図である。
【図２】第１の実施形態に係るリモート表示システムの動作シーケンスの一例を示す図である。
【図３】第１の実施形態に係るリモート表示システムの表示位置変更動作の流れを示す図である。
【図４】サーバ上の画像の一部がクライアントにされ、クライアントがどの部分を部分表示しているかが携帯端末に表示された状態を示す図である。
【図５】本発明を好適に実施した第２の実施形態に係るリモート表示システムの構成を示す図である。
【図６】第２の実施形態に係るリモート表示システムの動作シーケンスの一例を示す図である。
【図７】第２の実施形態に係るリモート表示システムの表示位置変更動作の流れを示す図である。
【図８】第２の実施形態に係るリモート表示システムの表示位置変更動作の流れを示す図である。
【符号の説明】
【００４０】
１０、４０    サーバ
１１、２１、３１、４１、５１、６１    演算部
１２、２２、３２、４２、５２    通信処理部
１３、２３、３３、４３、５３、６３    記憶部
１４、２４、３４、４４、５４、６４    表示部
１５、２５、３５、４５、５５、６５    ユーザインタフェース部
５６、６６    近傍通信部
２０、５０    クライアント
３０、６０    携帯端末
５００    ネットワーク
【図１】
2009080655.tif 000003
【図２】
2009080655.tif 000004
【図３】
2009080655.tif 000005
【図４】
2009080655.tif 000006
【図５】
2009080655.tif 000007
【図６】
2009080655.tif 000008
【図７】
2009080655.tif 000009
【図８】
2009080655.tif 000010